(57)【要約】【課題】フィルム型前面フィルタを容易に接続するためのプラズマディスプレイ装置を提供する。  【解決手段】本発明のプラズマディスプレイ装置は、上部基板と下部基板とを貼り合わさせて形成されるパネル72と、パネルの前面に設けられ、パネルより四方に所定の長さ分だけ拡張された延長部79を有するフィルム型前面フィルタ74と、シャーシベースの後面に設けられたバックカバーと、延長部79とバックカバーを電気的に接続するためのフィルタ支持部76とを含む。フィルタ支持部76は、所定のガイド部材を中心に上下に回転するクリップ80と、フィルタ支持部とクリップを連結するフランジ82とを備える。【選択図】図７
2004310096.tif 000002
【特許請求の範囲】
【請求項１】
上部基板と下部基板とを貼り合わさせて形成されるパネルと、
該パネルの前面に設けられ、前記パネルより四方に所定の長さ分だけ拡張された延長部を有するフィルムタイプ前面フィルタと、
前記シャーシベースの後面に設けられたバックカバーと、
前記延長部と前記バックカバーを電気的に接続するためのフィルタ支持部と、
を備えていることを特徴とするプラズマディスプレイ装置。
【請求項２】
前記延長部は、前記パネルの四方端部から２ｍｍ〜３００ｍｍの範囲でさらに拡張されることを特徴とする請求項１に記載のプラズマディスプレイ装置。
【請求項３】
前記延長部は、前記フィルタタイプ前面フィルタと同一の物質で一体に形成されることを特徴とする請求項１に記載のプラズマディスプレイ装置。
【請求項４】
前記フィルムタイプ前面フィルタは、前記延長部を取り囲むように形成された金属物質をさらに備えていることを特徴とする請求項１に記載のプラズマディスプレイ装置。
【請求項５】
前記金属物質は、導電性材料であることを特徴とする請求項４に記載のプラズマディスプレイ装置。
【請求項６】
前記金属物質は、前記フィルムタイプ前面フィルタのＮＩＲ遮蔽膜またはＥＭＩ遮蔽膜のいずれか１つの膜に電気的に接着されることを特徴とする請求項４に記載のプラズマディスプレイ装置。
【請求項７】
前記フィルタ支持部は、
所定のガイド部材を中心に上下に回転するクリップと、
前記フィルタ支持部と前記クリップを連結するフランジと、
を備えていることを特徴とする請求項１に記載のプラズマディスプレイ装置。
【請求項８】
前記延長部は、前記クリップによって前記フィルタ支持部に接続されることを特徴とする請求項７に記載のプラズマディスプレイ装置。
【請求項９】
前記フランジは、
前記フィルタ支持部から突出し、かつ第１のホールが貫通している第１の突出部と、
前記クリップから突出し、かつ第２のホールが貫通している第２の突出部と、
前記第１および第２のホールを貫通し、前記第１および第２の突出部を固定して連結するためのガイド部材と、
前記クリップに弾性復元力を与えるように前記ガイド部材の周りに巻かれたコイルばねと、
を備えていることを特徴とする請求項７に記載のプラズマディスプレイ装置。
【発明の詳細な説明】
【技術分野】
【０００１】
本発明は、プラズマディスプレイ装置に関し、特に、フィルムタイプ前面フィルタを接続するためのプラズマディスプレイ装置に関する。
【背景技術】
【０００２】
プラズマディスプレイパネル（以下「ＰＤＰ」という。）は、Ｈｅ＋Ｘｅ、Ｎｅ＋ＸｅまたはＨｅ＋Ｎｅ＋Ｘｅなどの不活性混合ガスの放電時に発生する１４７ｎｍの紫外線によって蛍光体を励起させ、赤色、緑色および赤色を発光させることで、文字またはグラフィックを含む画像を表示するようになる。かかるＰＤＰは、薄膜化と大型化が容易であるだけでなく、最近の技術開発によって高画質が可能となる。特に、交流型３電極面放電方式のＰＤＰは、放電時、表面に壁電荷が蓄積され、放電により発生されるスパッタリングから電極を保護することで、低電圧駆動と長寿命の長所を有する。
【０００３】
図１は、従来のプラズマディスプレイパネルの放電セル構造を示す斜視図である。
同図に示されたように、従来の交流型３電極面放電方式のＰＤＰの放電セルは、上部基板１０上に形成されたスキャン電極Ｙおよびサステイン電極Ｚ、下部基板１８上に形成されたアドレス電極Ｘを備える。スキャン電極Ｙとサステイン電極Ｚは、それぞれ、透明電極１２Ｙ、１２Ｚと、この透明電極１２Ｙ、１２Ｚの線幅より小さな線幅を有し、透明電極の一側縁部に形成される金属バス電極１３Ｙ、１３Ｚとを含む。
【０００４】
透明電極１２Ｙ、１２Ｚは、通常、ＩＴＯ（インジウム−スズ−オキサイド）の混合物質からなる。金属バス電極１３Ｙ、１３Ｚは、通常、クロム（Ｃｒ）などの金属物質からなり、透明電極１２Ｙ、１２Ｚ上に形成され、抵抗の高い透明電極１２Ｙ、１２Ｚによる電圧降下を減らす働きをする。スキャン電極Ｙとサステイン電極Ｚが並んで形成された上部基板１０には、上部誘電体層１４と保護層１６が積層される。上部誘電体層１４には、プラズマ放電時に発生された壁電荷が蓄積される。保護層１６は、プラズマ放電時に発生したスパッタリングによる上部誘電体層１４の損傷を防止すると共に二次電子の放出効率を向上させる役割を有する。保護層１６としては、通常、酸化マグネシウム（ＭｇＯ）が使用される。
【０００５】
アドレス電極Ｘが形成された下部基板１８上には、下部誘電体層２２および隔壁２４が形成される。下部誘電体層２２と隔壁２４の各表面には、蛍光体層２６が塗布される。アドレス電極Ｘは、スキャン電極Ｙおよびサステイン電極Ｚと交差する方向に形成される。隔壁２４は、ストライプ状または格子状に形成され、放電により生成された紫外線および可視光が隣接する放電セルへ漏れるのを防止する。蛍光体層２６は、プラズマ放電時に発生した紫外線により励起され、赤色、緑色および青色の可視光線を発生する。上部基板１０及び下部基板１８のそれぞれと隔壁２４との間に設けられた放電空間には、不活性混合ガスが注入される。
【０００６】
ＰＤＰは、画像の階調を表現するため、１フレームを発光回数の異なる複数のサブフィールドに分けて時分割駆動する。各サブフィールドは、全体画面を初期化させるためのリセット期間と、スキャンラインを選択し、選択されたスキャンラインにおいて特性のセルを選択するためのアドレス期間と、放電回数によって階調を表現するサステイン期間と、に分けられる。
【０００７】
例えば、２５６階調で画像を表示しようとする場合は、図２のように、１／６０秒に相当するフレーム期間（１６．６７ｍｓ）は、８つのサブフィールドＳＦ１〜ＳＦ８に分けられるようになる。８つのサブフィールドＳＦ１〜ＳＦ８のそれぞれは、前述のように、リセット期間、アドレス期間およびサステイン期間に分けられる。各サブフィールドのリセット期間とアドレス期間は、各サブフィールド毎に同一であるが、サステイン期間は、各サブフィールドにおいて２n（ｎ＝０、１、２、３、４、５、６、７）の比率で増加する。
上述のようなＰＤＰでは、上部基板１０の前面には、電磁波を遮蔽すると共に外部光の反射を防止するための前面フィルタが設けられている。
【０００８】
図３は、従来のプラズマディスプレイ装置の一部を概略的に示す断面図である。
同図に示されたように、従来のプラズマディスプレイ装置は、上部基板１０と下部基板１８とが貼り合わされるパネル３２と、パネル３２の前面に設けられる前面フィルタ３０と、パネル３２を支持すると共に印刷回路基板が取り付けられたシャーシベース３６と、シャーシベース３６の前面に設けられた放熱板３４と、放熱板３４の後面に設けられたバックカバー３８と、バックカバー３８と前面フィルタ３０とを固定支持するフロントキャビネット４５とを備える。
【０００９】
フロントキャビネット４５は、前面フィルタ３０とバックカバー３８を電気的に接続させるためのフィルタ支持部４０と、前面フィルタ３０とバックカバー３８を固定して支持する支持部材４２とを有する。フィルタ支持部４０は、前面フィルタ３０がパネル３２と所定の距離で離間するように支持する。また、フィルタ支持部４０は、前面フィルタ３０に含まれるＥＭＩ遮蔽膜をグランド電源に接続されたバックカバー３８に電気的に接続させることでＥＭＩ遮蔽膜でＥＭＩ信号を放電させる。さらに、フィルタ支持部４０は、側面へＥＭＩが放出するのを防止する。
【００１０】
シャーシベース３６に取り付けられた印刷回路基板は、パネル３２の電極（例えば、スキャン電極、サステイン電極およびアドレス電極）に駆動信号を供給する。このため、印刷回路基板は、図示しない種々の駆動部を備えている。パネル３２は、印刷回路基板から供給される駆動信号に応答して所定の画像を表示する。放熱板３４は、パネル３２および印刷回路基板から発生する熱を放熱させる。バックカバー３８は、外部衝撃からパネル３２を保護すると共に後面へ放出される電磁気障害（ElectroMagnetic Interference；以下「ＥＭＩ」という。）を防ぐ。
【００１１】
前面フィルタ３０は、ＥＭＩを遮蔽すると共に外部光の反射を防止する。このため、前面フィルタ３０は、図４のように無反射膜５０、光特性膜５２、ガラス５４、ＥＭＩ遮蔽膜５６および近赤外線（near infrared rays；以下「ＮＩＲ」という。）遮蔽膜５８を備える。ここで、実際に前面フィルタ３０の各膜５０、５２、５４、５６５８の間には、粘着層が形成され、各膜５０、５２、５４、５６、５８の間を接着させるようになる。また、一般に光特性膜５２は、粘着層に特定の物質を挿入して形成される。このとき、前面フィルタ１３０の構造は、各メーカーによって種々に変更可能である。
【００１２】
無反射膜５０は、外部から入射される光の外部への再反射を防止することでＰＤＰのコントラストを向上させる働きをする。かかる無反射膜５０は、前面フィルタ３０の表面に形成される。なお、無反射膜５０は、前面フィルタ３０の背面に追加して形成されることもできる。光特性膜５２は、パネル３２から入射される可視光のうち赤色（Ｒ）および緑色（Ｇ）の輝度を低くすると共に青色（Ｂ）の輝度を高くすることでＰＤＰの光特性を改善させる。
【００１３】
ガラス５４は、外部衝撃による前面フィルタ３０の破損を防止する。換言すれば、ガラス５４は、前面フィルタ３０が外部衝撃によって破損するのを防止するように前面フィルタ３０を支持する。
【００１４】
ＥＭＩ遮蔽膜５６は、ＥＭＩを遮蔽してパネル３２から入射されるＥＭＩが外部へ放出されるのを防止する。ＮＩＲ遮蔽膜５８は、パネル３２から放射されるＮＩＲを遮蔽することで、リモコンなどのように赤外線（ＩＲ）を用いて信号を伝達する装置が信号を正しく伝達できるように基準以上のＮＩＲが外部へ放出されるのを防止する。なお、ＥＭＩ遮蔽膜５６およびＮＩＲ遮蔽膜５８は、１つの層で構成されることができる。
【００１５】
かかる前面フィルタ３０は、図５に示されたように、フィルタ支持部４０を介してバックカバー３８と電気的に接続される。具体的に、フィルタ支持部４０は、前面フィルタ３０の一側端において前面フィルタ３０の背面に接続される。このとき、フィルタ支持部４０は、ＥＭＩ遮蔽膜５６およびＮＩＲ遮蔽膜５８のうちの少なくとも１つ以上の膜と電気的に接続される。即ち、フィルタ支持部４０は、前面フィルタ３０をバックカバー３８に接続させ、ＥＭＩおよび／またはＮＩＲを遮蔽するようになる。
【００１６】
前述のような従来の前面フィルタ３０では、外部からの衝撃によって前面フィルタ３０が破損するのを防止するため、ガラス５４が用いられている。かかる前面フィルタをガラスタイプ前面フィルタという。しかし、かかるガラス５４が前面フィルタ３０に挿入されると、前面フィルタ３０の厚さが厚くなるという短所がある。また、前面フィルタ３０にガラス５４が挿入されると、重量が重くなると共に製造コストがアップするという問題点がある。
【００１７】
かかる問題点を解決するために、図６に示されたようなガラスを除いた前面フィルタが提案されており、かかる前面フィルタをフィルムタイプ前面フィルタと称する。
フィルムタイプ前面フィルタ６０は、無反射膜６２、光特性膜６４、ＥＭＩ遮蔽膜６６およびＮＩＲ遮蔽膜６８を備える。ここで、フィルムタイプ前面フィルタ６０の各膜６２、６４、６６、６８の間には、接着層が形成され、この接着層により各膜６２、６４、６６、６８の間が接着される。また、一般に、光特性膜６４は、接着層に特定の物質を挿入して形成するようになる。また、フィルムタイプ前面フィルタ６０の構造は、使用するメーカーによって少しずつ異なっている。図６においては、説明の便宜のために接着層の図示は省略し、光特性膜６４を特定の層として示している。
【００１８】
無反射膜６２は、フィルムタイプ前面フィルタ６０の表面に形成され、外部から入射される光の外部への再反射を防止する。かかる無反射膜６２は、フィルムタイプ前面フィルタ６０の背面に追加して形成することができる。光特性膜６４は、パネル４２から入射される可視光のうち赤色（Ｒ）および緑色（Ｇ）の輝度を低くすると共に青色（Ｂ）の輝度を高くすることで、ＰＤＰの光特性を改善させる。
【００１９】
ＥＭＩ遮蔽膜６６は、ＥＭＩを遮蔽してパネル３２から入射されるＥＭＩが外部へ放出されるのを防止する。ＮＩＲ遮蔽膜６８は、パネル３２から入射されるＮＩＲを遮蔽する。かかるＮＩＲ遮蔽膜６８は、リモコンなどからパネル３２に伝達される信号が正常に伝達されるように基準以上のＮＩＲが外部へ放出されるのを防止する。なお、ＥＭＩ遮蔽膜６６およびＮＩＲ遮蔽膜６８は、１つの層で構成することもできる。
かかるフィルムタイプ前面フィルタ６０は、ガラス５４を含む前面フィルタ３０に比べて軽量化および薄型化が可能であるという長所がある。また、フィルムタイプ前面フィルタ６０は、ガラス５４を含む前面フィルタ３０に比べて製造コストがダウンできる。
しかし、かかる長所にもかかわらず、まだフィルムタイプ前面フィルタ６０をプラズマディスプレイ装置に接続させる構造および方法が提案されておらず、フィルムタイプ前面フィルタが活用されていない現状である。
【発明の開示】
【発明が解決しようとする課題】
【００２０】
従って、本発明の目的は、フィルムタイプ前面フィルタを容易に接続させることができるプラズマディスプレイ装置を提供することにある。
【課題を解決するための手段】
【００２１】
上記の目的を達成するための本発明の好適な一実施形態によれば、プラズマディスプレイ装置は、上部基板と下部基板とを貼り合わさせて形成されるパネルと、該パネルの前面に設けられ、前記パネルより四方に所定の長さ分だけ拡張された延長部を有するフィルムタイプ前面フィルタと、前記シャーシベースの後面に設けられたバックカバーと、前記延長部と前記バックカバーを電気的に接続するためのフィルタ支持部とを備えている。
【００２２】
このとき、延長部は、パネルの四方端部から２ｍｍ〜３００ｍｍの範囲でさらに拡張されることが好ましい。また、延長部は、フィルタ型前面フィルタと同一の物質で一体に形成することもできる。
フィルムタイプ前面フィルタは、延長部を取り囲むように形成された金属物質をさらに含むことができる。
フィルタ支持部は、所定のガイド部材を中心に上下に回転するクリップと、フィルタ支持部とクリップとを連結させるフランジと、含むことができる。
【発明の効果】
【００２３】
本発明によれば、パネルの面積より広いフィルムタイプ前面フィルタが設けられるように延長部を形成し、延長部を金属物質で取り囲んだ後、フィルタ支持部上に設けられたクリップを用いてフィルムタイプ前面フィルタの延長部がフィルタ支持部に接続されるようにすることで、フィルムタイプ前面フィルタとフィルタ支持部とを電気的に容易に接続することができる。
従って、フィルムタイプ前面フィルタの延長部の一側にフィルタ支持部が接続され、パネルとフィルタ支持部との間において所定の距離で離間しているため、フィルタ支持部に加えられる衝撃によりパネルが破損するのを防止することができる。
【００２４】
また、フィルムタイプ前面フィルタの延長部にフィルタ支持部がより広い面積をもって接続することで、フィルムタイプ前面フィルタから発生したＮＩＲ信号またはＥＭＩ信号をフィルタ支持部を介して外部に、より容易に放出させることができる。
【発明を実施するための最良の形態】
【００２５】
以下、添付の図面に基づいて本発明の好適な実施形態を説明する。
図７は、本発明の好適な一実施形態に係るプラズマディスプレイ装置の一部を概略的に示す断面図である。
【００２６】
同図に示すように、本発明のプラズマディスプレイ装置は、上部基板と下部基板とが貼り合わされるパネル７２と、パネル７２の前面に設けられたフィルムタイプ前面フィルタ７４と、パネル７２を支持すると共に印刷回路基板（例えば、各種の駆動装置が実装される）が取り付けられたシャーシベースと、シャーシベースの前面に設けられた放熱板と、放熱板の後面に設けられたバックカバーと、バックカバーと前面フィルタ７４を電気的に接続させるフィルタ支持部７６とを備える。ここで、シャーシベース、放熱板、バックカバーおよびフロントキャビネットは、図３に示されているため、図７においては、図示を省略する。
【００２７】
このとき、フィルムタイプ前面フィルタ７４は、パネル７２より少なくとも広い面積を有することが好ましい。換言すれば、フィルムタイプ前面フィルタ７４には、パネルより四方に所定の長さだけさらに拡張された延長部７９を形成することができる。ここで、延長部７９は、パネル７２の四方端部から２ｍｍ〜３００ｍｍの範囲でさらに拡張されることが好ましい。かかる延長部７９は、四方に拡張されている。これによって、フィルムタイプ前面フィルタ７４は、パネル７２より横方向および縦方向にそれぞれ４ｍｍ〜６００ｍｍの範囲で拡張することが可能である。なお、延長部７９は、フィルタ支持部と同一物質で一体に形成されることが好ましい。
【００２８】
このため、延長部７９を取り囲むようにように金属物質７８が形成される。このとき、金属物質７８は、電気が通るものである必要がある。また、金属物質７８は、板状に形成され、かかる板状の金属物質７８を延長部に沿って取り囲むように接着させることができる。なお、延長部７９との付着力を強くするため、別の接着物質を金属物質７８の内面にコーティングすることもできる。
【００２９】
このとき、金属物質７９は、フィルムタイプ前面フィルタ７４のＮＩＲ遮蔽膜またはＥＭＩ遮蔽膜の少なくともいずれか１つの膜と電気的に接着されることが好ましい。これによって、ＮＩＲ遮蔽膜またはＥＭＩ遮蔽膜から発生した電気的信号が金属物質７９を介して外部へ放出されるようになる。
従って、かかる拡張された延長部７９に付着された金属物質７８は、フィルタ支持部７６によって電気的に接続されることが可能となる。
【００３０】
このため、フィルタ支持部７６上には、図８のように所定の軸を中心に上下に回転可能なクリップ８０と、フィルタ支持部７６とクリップ８０とを連結するフランジ８２とが設けられている。なお、フランジ８２は、フィルタ支持部７６から突出し、第１のホール（図示省略）が貫通している第１の突出部８６と、クリップ８０から突出し、第２のホール（図示省略）が貫通している第２の突出部８７と、各ホールを貫通して第１および第２の突出部８６、８７を固定して連結するためのガイド部材８８と、クリップ８０に弾性復元力を与えるようにガイド部材８８の周りに巻かれたコイルばね８４と、で構成される。
なお、クリップ８０は、フランジ８２を介してフィルタ支持部７６と電気的に接続される。
【００３１】
従って、クリップ８０の一側を下向きに回転させると、他側は、上向きに回転されるようになり、これによって、フィルムタイプ前面フィルタ７４の延長部７９に付着された金属物質７８がフィルタ支持部７６に収まるようにした後、クリップ８０を載置すると、コイルばね８４からの弾性復元力によってクリップ８０の一側が上向きに回転すると共に他側が下向きに回転され、これによって、金属物質７８を固定するようになる。従って、クリップ８０と金属物質とが電気的に接続される。
【００３２】
結局、フィルムタイプ前面フィルタ７４の延長部７９は、金属物質７８と電気的に接続され、金属物質７８は、クリップ８０およびフィルタ支持部７６と電気的に接続される。また、クリップ８０は、フランジ８２を介してフィルタ支持部７６と電気的に接続される。
【００３３】
従って、フィルムタイプ前面フィルタ７４から発生したＮＩＲ信号またはＥＭＩ信号は、金属物質７８、クリップ８０、フランジ８２などを経由してフィルタ支持部７６に伝達され、外部へ放出されるようになる。
【００３４】
本発明の実施形態では、フィルタ支持部７６上に形成されるクリップ８０、フランジ８２を用いてフィルムタイプ前面フィルタ７４とフィルタ支持部７６を電気的に接続させることができる。このとき、フィルムタイプ前面フィルタ７４に延長部７９を設けることでフィルタ支持部７６と接触される面積をより多く確保することが可能となり、より速やかにＮＩＲ信号またはＥＭＩ信号を外部に放出させることができる。
また、パネル７２よりさらに拡張された延長部７９をフィルムタイプ前面フィルタ７４に設け、延長部７９の一側をクリップ８０を用いてフィルタ支持部７６に接続することで、パネル７２から所定の距離だけ離間させてフィルタ支持部７６が設けられるので、フィルタ支持部による衝撃でパネル７２が破損するのを防止できる。
【００３５】
以上、図面を参照して本発明の好適な実施形態を説明してきたが、本発明の保護範囲は、前述の実施形態に限定されるものではなく、特許請求の範囲に記載された発明とその均等物にまで及ぶものである。
【図面の簡単な説明】
【００３６】
【図１】従来のプラズマディスプレイパネルの放電セルの構造を示す斜視図である。
【図２】一般のプラズマディスプレイパネルにおいて２５６階調を表現するためのフレームを示す図である。
【図３】従来のプラズマディスプレイ装置の一部を概略的に示す断面図である。
【図４】図３に示された前面フィルタを概略的に示す断面図である。
【図５】図３に示された前面フィルタとフィルタ支持部との接地過程を詳しく示す図である。
【図６】従来のフィルムタイプ前面フィルタを概略的に示す図である。
【図７】本発明の好適な一実施形態に係るプラズマディスプレイ装置の一部を概略的に示す断面図である。
【図８】図７に示されたフィルタ支持部の詳細を示す斜視図である。
【符号の説明】
【００３７】
７２    パネル
７４    フィルムタイプ前面フィルタ
７６    フィルタ支持部
７８    金属物質
７９    延長部
８０    クリップ
８２    フランジ
８４    コイルばね
８６    第１の突出部
８７    第２の突出部
８８    ガイド部材
【図１】
2004310096.tif 000003
【図２】
2004310096.tif 000004
【図３】
2004310096.tif 000005
【図４】
2004310096.tif 000006
【図５】
2004310096.tif 000007
【図６】
2004310096.tif 000008
【図７】
2004310096.tif 000009
【図８】
2004310096.tif 000010